(57)【要約】【課題】非表示領域を任意の位置に設けた場合でも、非表示領域の周囲の輝度ムラを低減可能な表示装置を提供する。【解決手段】液晶表示装置は、液晶パネル（２０）、偏光板開口部（２２１，２２２）が設けられた表偏光板及び裏偏光板（２１１，２１２）及びユニット開口部４が設けられたバックライトユニット２２を備える。バックライトユニット（２２）は、導光板（１１）の端面に設けられた光源と、バックライトユニット（２２）の外周及びユニット開口部（４）を取り囲む縁部（３）とを含む。ユニット開口部（４）を取り囲む縁部（３）であって光源とは反対側の外周面には、縁部による散乱光を反射する反射部材（６）が設けられている。【選択図】図２
2019090941.tif 000002
【特許請求の範囲】
【請求項１】
非表示領域を含む表示部と、
非表示領域に対応するユニット開口部が設けられたバックライトユニットと備え、
前記バックライトユニットは、導光板の端面に設けられた光源と、当該バックライトユニットの外周及び前記ユニット開口部を取り囲む縁部とを含み、
前記ユニット開口部を取り囲む前記縁部の外周面であって前記光源とは反対側の外周面には、前記縁部による散乱光を反射する反射部材が設けられている、表示装置。
【請求項２】
前記反射部材は、前記縁部の反射率よりも高い反射率を有する、請求項１に記載の表示装置。
【請求項３】
前記バックライトユニットの外周を取り囲む前記縁部の内周面には、前記光源からの光を反射する副反射部材が設けられている、請求項１または２に記載の表示装置。
【請求項４】
前記副反射部材は、前記反射部材と対向する、請求項３に記載の表示装置。
【請求項５】
前記副反射部材と、当該副反射部材と対向する前記反射部材とからなる組を複数備える、請求項４に記載の表示装置。
【請求項６】
前記副反射部材は、前記反射部材の外形に沿った形状を有する、請求項３〜５のいずれか１項に記載の表示装置。
【発明の詳細な説明】
【技術分野】
【０００１】
本発明は表示装置に関し、特に、表示領域の一部に非表示領域が形成された表示装置に関する。
【背景技術】
【０００２】
表示領域の一部に非表示領域が形成された表示装置が特許文献１に開示されている。特許文献１の表示装置はエッジ型のバックライトを用いた表示装置であって、バックライトは非表示領域に対応する開口部を備えている。特許文献１の表示装置によれば、非表示領域の周囲の輝度ムラを低減することができる。
【先行技術文献】
【特許文献】
【０００３】
【特許文献１】国際公開第２０１５／０２２８８７号
【発明の概要】
【発明が解決しようとする課題】
【０００４】
しかしながら、特許文献１の表示装置では、非表示領域の周囲の輝度ムラを低減するためには、開口部を所定の位置に設けなければならないという制限がある。
【０００５】
本発明は上記問題点に鑑みてなされたものであり、その目的は、非表示領域に対応する開口部を任意の位置に設けた場合でも、非表示領域の周囲の輝度ムラを低減することが可能な表示装置を提供することにある。
【課題を解決するための手段】
【０００６】
上記の課題を解決するために、本発明の一態様に係る表示装置は、非表示領域を含む表示部と、非表示領域に対応するユニット開口部が設けられたバックライトユニットとを備え、バックライトユニットは、導光板の端面に設けられた光源と、バックライトユニットの外周及びユニット開口部を取り囲む縁部とを含み、ユニット開口部を取り囲む前記縁部の外周面であって前記光源とは反対側の外周面には、前記縁部による散乱光を反射する反射部材が設けられている。
【発明の効果】
【０００７】
本発明の一態様に係る表示装置によれば、非表示領域の周囲の輝度ムラを低減させることなく、非表示領域に対応する開口部を任意の位置に設けることができる。
【図面の簡単な説明】
【０００８】
【図１】本発明の実施形態１に係る液晶表示装置を概略的に示す上面図である。
【図２】図１に示したＡ−Ａ線断面図である。
【図３】図１に示した開口部の周囲を拡大した模式図である。
【図４】本発明の実施形態１の変形例Ａに係る液晶表示装置を概略的に示す上面図である。
【図５】本発明の実施形態１の変形例Ｂに係る液晶表示装置の断面図である。
【図６】本発明の実施形態２に係る液晶表示装置を概略的に示す上面図である。
【図７】図６に示したＢ−Ｂ線断面図である。
【図８】本発明の実施形態２の変形例Ｃに係る液晶表示装置の断面図である。
【図９】本発明の実施形態２の変形例Ｄに係る液晶表示装置の断面図である。
【図１０】本発明の実施形態２の変形例Ｅに係る液晶表示装置の断面図である。
【図１１】本発明の実施形態３に係る液晶表示装置を概略的に示す上面図である。
【図１２】図１１に示した開口部の周囲を拡大した模式図である。
【図１３】本発明の実施形態４に係る液晶表示装置を概略的に示す上面図である。
【発明を実施するための形態】
【０００９】
〔実施形態１〕
以下、本発明の一実施形態について、図１および図２に基づいて詳細に説明する。
【００１０】
はじめに、図１は本発明の一実施形態に係る液晶表示装置（表示装置）を概略的に示す上面図である。図２は、図１に示したＡ−Ａ線断面図である。
【００１１】
これらの図を参照して説明すると、液晶表示装置１００は、ＣＦガラス２０１及びＴＦＴガラス２０２により構成される液晶パネル（表示部）２０と、液晶パネル２０の表面及び裏面に設けられた表偏光板及び裏偏光板２１１，２１２と、バックライトユニット２２とから構成されている。液晶表示装置１００はスマートフォン等の液晶表示装置である。
【００１２】
液晶パネル２０は、図示しない画像等を表示する表示領域と、画像等を表示しない非表示領域とを含んでいる。表偏光板２１１及び裏偏光板２１２には、厚み方向に貫通した偏光板開口部２２１，２２２が設けられている。液晶パネル２０には、厚み方向に貫通したパネル開口部２１が設けられている。バックライトユニット２２には、厚み方向に貫通したユニット開口部４が設けられている。なお、偏光板開口部２２１，２２２、パネル開口部２１およびユニット開口部４は、それぞれ非表示領域に対応する。
【００１３】
バックライトユニット２２は、レンズシート９、拡散シート１０、導光板１１及び反射シート１２等の複数枚の光学シートを積層した構造となっている。バックライトユニット２２は、導光板１１の端面に設けられた光源２と、バックライトユニット２２の外周及びユニット開口部４を取り囲む縁部３を有している。光源２は特に限定されず、例えばＬＥＤ等を用いることができる。導光板１１は、導光板１１の端面から入射された光源２からの光を液晶パネル２０に向けて出射面側から出射する。導光板１１の材料は特に限定されないが、薄型化及び軽量化の観点から、アクリル及びポリカーボネート等の樹脂を用いることが好ましい。反射シート１２は、導光板１１の光出射面とは反対側に設けられており、導光板１１内で光出射面とは反対側の面に到達した光を反射する。縁部３と裏偏光板２１２とは、両面テープ１７によって接着されている。
【００１４】
ユニット開口部４内には、例えばＣＣＤカメラ、照度センサー及び赤外線センサー等のデバイスが設けられる。なおユニット開口部４の口径は特に限定されず、ユニット開口部４内に設けるデバイスのサイズ等に合わせて適宜設定すればよい。
【００１５】
縁部３は、ポリカーボネート（ＰＣ）等の樹脂材料から形成されている。
【００１６】
ユニット開口部４を取り囲む縁部３の外周面であって光源２とは反対側には、反射部材６が設けられている。本実施形態において、反射部材６は、縁部３の反射率よりも高い反射率を有していることが好ましい。なお、本実施形態において、反射部材６はステンレス鋼材（ＳＵＳ）等の金属からなるベゼルから構成されているが、反射部材６は、少なくとも縁部３による散乱光を反射するものであれば特に限定されるものではない。
【００１７】
このような構成を備えた液晶表示装置１００において、光源２から出射された光は、導光板１１の端面に入射し、導光板１１内を伝搬し、導光板１１の出射面側から液晶パネル２０に向かって出射される。その際、反射部材６は、導光板１１内を伝搬して縁部３で散乱された散乱光を反射する。ここで、反射部材６による効果について、図３を参照して説明する。
【００１８】
図３は、図１に示したユニット開口部の周囲を拡大した模式図である。図３を参照して説明すると、まず、ユニット開口部４を取り囲む縁部３（図２参照）の外周面に反射部材６を設けていない場合には、ユニット開口部４の光源２（図１参照）とは反対側の領域には、輝度が低下した輝度低下範囲１４が生じる。これに対して、ユニット開口部４を取り囲む縁部３の外周面に反射部材６を設けた場合には、縁部３による散乱光を反射部材６が反射することによって、輝度低下範囲１４側には明部１３が生じる。
【００１９】
したがって、本実施形態によれば、反射部材６によって反射された散乱光を反射部材６側から導光板１１の端面に入射することができる。そのため、ユニット開口部４の周囲、言い換えれば非表示領域の周囲において、輝度ムラを低減することができる。このような構成とすることで、ユニット開口部４が任意の位置に設けられた場合でも、非表示領域の周囲の輝度ムラを低減することができる。
【００２０】
なお、本実施形態では特定形状の開口部を有する液晶表示装置について説明したが、ユニット開口部の形状は、本実施形態に示す形状に限定されない。したがって、ユニット開口部の形状は、例えば上面視において楕円形、正方形及び長方形等の多角形、又は曲線部分を含むような形状であってもよい。
【００２１】
さらに、本実施形態においてユニット開口部は１つであるが、ユニット開口部の数は限定されず、ユニット開口部は複数あってもよい。
【００２２】
さらに、本実施形態において、液晶表示装置は他の構成を有していてもよい。以下、液晶表示装置の変形例について説明する。なお、説明の便宜上、上記実施形態にて説明した部材と同じ機能を有する部材については、同じ符号を付記し、その説明を繰り返さない。
【００２３】
（変形例Ａ）
図４は、本発明の実施形態１の変形例Ａに係る液晶表示装置を概略的に示す上面図である。図４中、（ａ）〜（ｃ）は、第１〜第３の変形例を示す。
【００２４】
はじめに、図４の（ａ）に示すように、第１の変形例において、液晶表示装置の短手方向には、同一形状を有するユニット開口部４が並列して設けられていてもよい。または、同図の（ｂ）に示すように、第２の変形例において、液晶表示装置の長手方向には、同一形状を有するユニット開口部４が並列して設けられていてもよい。さらには、図（ｃ）に示すように、第３の変形例において、液晶表示装置には、液晶表示装置の長手方向に並列して、ユニット開口部４と、ユニット開口部とは開口径の異なるユニット開口部４１が設けられていてもよい。第１〜第３の変形例に示す液晶表示装置によっても、実施形態１と同様の効果が得られる。
【００２５】
（変形例Ｂ）
次に、液晶パネルの変形例について、図５に基づいて説明する。図５は、本発明の実施形態１の変形例Ｂに係る液晶表示装置の断面図である。図を参照して説明すると、変形例Ｂに係る液晶表示装置において、液晶パネル３０は、ＣＦガラス３０１及びＴＦＴガラス３０２により構成されている。液晶パネル３０には、非表示領域に対応する開口部は設けられていない。その他の構成については図２に示した液晶表示装置と同様であるのでここでの説明は省略する。
【００２６】
このような構成の液晶表示装置としても、実施形態１と同様の効果が得られる。なお、図示しないが、液晶パネルの非表示領域に対応する位置には、例えばカラーフィルター等の透明材料を設けてもよい。
【００２７】
〔実施形態２〕
本発明の他の実施形態について、図６および図７に基づいて詳細に説明する。なお、説明の便宜上、上記実施形態にて説明した部材と同じ機能を有する部材については、同じ符号を付記し、その説明を繰り返さない。
【００２８】
図６は本発明の実施形態２に係る液晶表示装置を概略的に示す上面図である。図７は、図６に示したＢ−Ｂ線断面図である。
【００２９】
これらの図を参照して説明すると、本実施形態に係る液晶表示装置２００は、図１に示した液晶表示装置１００の構成に加えて、縁部３の内周面であって光源２とは反対側には、光源２からの光を反射する副反射部材１５が設けられている。このようにすれば、副反射部材１５による反射を利用して、非表示領域の周囲の輝度ムラをより低減することができる。さらに、液晶表示装置２００は次のように変形してもよい。
【００３０】
（変形例Ｃ）
図８は、実施形態２の変形例Ｃに係る液晶表示装置の断面図である。図を参照して説明すると、変形例Ｃに係る液晶表示装置において、液晶パネル３０には、非表示領域に対応するパネル開口部が設けられていない。その他の構成は、図７に示した液晶表示装置の構成と同様であるためここでの説明は省略する。このような液晶表示装置としても、実施形態２と同様の効果が得られる。
【００３１】
（変形例Ｄ）
図９は、実施形態２の変形例Ｄに係る液晶表示装置の断面図である。図を参照して説明すると、変形例Ｄに係る液晶表示装置において、反射シート１２の両端側は断面視において略Ｌ字状に折り曲げられている。そして図７に示す反射部材および副反射部材として、折り曲げられた反射シート１２を用いている。このような構成とすれば、部品点数を減少させることでコンパクトな表示装置を実現することができる。
【００３２】
（変形例Ｅ）
図１０は、実施形態２の変形例Ｅに係る液晶表示装置の断面図である。図を参照して説明すると、変形例Ｅに係る液晶表示装置において、液晶パネル３０には、非表示領域に対応するパネル開口部が設けられていない。その他の構成については図９に示した液晶表示装置と同様であるのでここでの説明は省略する。このような構成としても、実施形態２と同様の効果が得られる。
【００３３】
〔実施形態３〕
本発明の第３の実施形態について、図１１および図１２を用いて説明する。図１１は、本発明の実施形態３に係る表示装置を概略的に示す上面図である。図１２は、図１１に示した開口部の周囲を拡大した模式図である。
【００３４】
これらの図を参照して説明すると、液晶表示装置３００は、図６に示した液晶表示装置２００において、ユニット開口部４を取り囲む縁部３の外周面には、第１の反射部材２６と、第２の反射部材２８とが設けられている。また、縁部３の内周面において、第１の反射部材２６に対向する位置に第１の副反射部材２７が、第２の反射部材２８に対向する位置に第２の副反射部材２９が設けられている。このように、副反射部材と、副反射部材と対向する反射部材とからなる組を複数設けることで、より多くの反射光を利用することができるため、非表示領域の周囲の輝度ムラをさらに低減することができる。
【００３５】
〔実施形態４〕
本発明の第４の実施形態について、図１３を用いて説明する。図１３は本発明の実施形態４に係る液晶表示装置を概略的に示す上面図である。
【００３６】
図１３を参照して説明すると、液晶表示装置４００において、液晶パネルの角部はユニット開口部４の孔のＲと同じＲ形状を有している。そして、副反射部材１９は、反射部材１８の外形に沿った形状を有している。このような構成とすれば、副反射部材１９によって反射された光を効率よく利用することができるため、非表示領域の周囲の輝度ムラをより一層低減することができる。
【００３７】
〔まとめ〕
本発明の態様１に係る液晶表示装置は、非表示領域を含む液晶パネル（表示部）２０と、非表示領域に対応するユニット開口部４が設けられたバックライトユニット２２とを備え、バックライトユニット２２は、導光板の端面に設けられた光源２と、バックライトユニット２２の外周及びユニット開口部４を取り囲む縁部３とを含み、ユニット開口部４を取り囲む縁部３の外周面であって光源２とは反対側の外周面には、縁部３による散乱光を反射する反射部材６が設けられている。
【００３８】
上記の構成によれば、反射部材６によって反射された散乱光が反射部材６側から導光板１１の端面に入射し、導光板１１内を伝搬した後、導光板１１の出射面側から出射される。そのため、ユニット開口部４が任意の位置に設けられた場合でも、非表示領域の周囲の輝度ムラを低減することができる。
【００３９】
本発明の態様２に係る表示装置は、上記態様１において、反射部材６は、縁部３の反射率よりも高い反射率を有することが好ましい。
【００４０】
本発明の態様３に係る表示装置は、上記態様１または２において、バックライトユニットの外周を取り囲む縁部の内周面には、光源からの光を反射する副反射部材が設けられていることが好ましい。
【００４１】
上記の構成によれば、副反射部材によって反射された光を利用して、非表示領域の周囲の輝度ムラをさらに低減することができる。
【００４２】
本発明の第４の態様に係る表示装置は、上記態様３において、副反射部材は、反射部材と対向することが好ましい。
【００４３】
本発明の第５の態様に係る表示装置は、上記態様４において、副反射部材と、副反射部材と対向する反射部材とからなる組を複数備えることが好ましい。
【００４４】
上記の構成によれば、より多くの反射光を利用することで、非表示領域の周囲の輝度ムラをさらに低減することができる。
【００４５】
本発明の第６の態様に係る表示装置は、上記態様３〜５のいずれかにおいて、副反射部材は、反射部材の外形に沿った形状を有することが好ましい。
【００４６】
上記の構成によれば、反射部材によって反射された光を効率良く利用することで、非表示領域の周囲の輝度ムラをより一層低減することができる。
【００４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４８】
２        光源
３        縁部
４，４１  ユニット開口部
６        反射部材
１１        導光板
１５        副反射部材
２０        液晶パネル（表示部）
２２        バックライトユニット
２６        第１の反射部材
２７        第１の副反射部材
２８        第２の反射部材
２９        第２の副反射部材
１００，２００，３００，４００  液晶表示装置（表示装置）
【図１】
2019090941.tif 000003
【図２】
2019090941.tif 000004
【図３】
2019090941.tif 000005
【図４】
2019090941.tif 000006
【図５】
2019090941.tif 000007
【図６】
2019090941.tif 000008
【図７】
2019090941.tif 000009
【図８】
2019090941.tif 000010
【図９】
2019090941.tif 000011
【図１０】
2019090941.tif 000012
【図１１】
2019090941.tif 000013
【図１２】
2019090941.tif 000014
【図１３】
2019090941.tif 000015